(57)【要約】      （修正有）【課題】パーマネントウエーブ後の頭髪を巻き髪風、ストレートの頭髪をくせ毛風に仕上げる器具の提供。【解決手段】頭髪を軽く１から２回ねじり円筒体（ｂ）にねじった頭髪を巻きつけるように置き、円筒体（ａ）の下部、又は、上部より、ドライヤーで送風することで頭髪を乾かし、セットするカール状セット器具。【選択図】図２
0003116385.tif 000002
【実用新案登録請求の範囲】
【請求項１】
円筒体の内側に逆円錐状の送風孔を有する筒体を設け、その内側にさらに送風孔を有する円筒体を設けたことも特徴とするカール状セット器具。
【請求項２】
請求項１に記載のカール状セット器具において、外側の円筒体の一端にドライヤーの送風口に取り付けることを特徴とするカール状セット器。
【考案の詳細な説明】
【考案の詳細な説明】
【考案に属する技術分野】
【０００１】  本考案のカール状セット器具を使う事により容易に、パーマネントウエーブ後の頭髪をらせん状および巻き髪風に仕上げセットでき、ストレートヘアーをゆるやかなウエーブ及びセットできる器具の製造方法に関する。
【背景技術】
【０００２】  従来のパーマネントウエーブ後のセットは、ドライヤーの風を頭髪にじかに吹きつけるので、ドライヤーの送風で、パーマネントウエーブ本来の形が崩れやすい。そして人間の手により作るウエーブは、形がまちまちになりやすく、手がドライヤーの熱で熱くなる。従来のらせん状や巻き髪に仕上げるには、ヘアーアイロンやホットカーラーを使用するが、個人では、扱いにくく、また頭髪への極端なダメージ、皮膚をやけどなど、さまざまな問題点がある。
【考案が解決しようとうする課題】
【０００３】  従来のドライヤーでのセットでは、ドライヤーの熱での手荒れ。個人個人の手の使い方やウエーブの出し方でいくらセットしても個人で巻き髪のような頭髪のカールの弾力や、らせん状、均一なカールは、美容師以外の人には、セットしにくい、ヘアーアイロンの使用により皮膚のやけど、頭髪への過度の熱でのダメージ、ホットカーラー使用時の手間、手指の低温やけど。ストレートヘアーには、ゆるやかなウエーブは、なかなかセットしづらいなどの問題点があった。
【０００４】  本考案は、パーマネントウエーブがかかっている頭髪をドライヤーで乾かすときに、このカール状セット器具を使って容易に巻き髪のような弾力性のあるウエーブをセットでき、ストレートヘアーには、ゆるやかなウエーブを頭髪に容易にセットする為にこのカール状セット器具を提供することを目的としている。
【問題を解決するための手段】
【０００５】  上記目的を達成するために、本発明は円筒体の内側に逆円錐状の送風孔を有する円筒体を設け、その内側にさらに送風孔を有する円筒体を設け、単体でも使用可能で、外側の円筒体の一端をドライヤーの送風口に取り付けることも出来るカール状セット器具を使用する。
【考案を実施するための最良の形態】
【０００６】  図１において、本考案のカール状セット器具を真上から見た図である。
図２において、本考案のカール状セット器具の正面から見た断面図である。
（ａ）は、円筒体であり直径は、５０ｍｍ。高さｍｍ。（ｂ）は、円筒体であり直径は、１６ｍｍ。高さ６０ｍｍで中は、空洞で送風孔（ｂ１）を有する。（ｃ）は、逆円錐状の円筒体であり（ａ）の上部から、中段にかけて下がり送風孔（ｃ１）を有する。円筒体（ｄ）の下部に送風孔（ｄ１）を有するドーナツ状の板を設けた。【０００７】  図３に示される実施例では、本体の（ｂ）に、頭皮のベース約５ｃｍ×５ｃｍの頭髪をとり、１から２回軽くねじり巻きつけた図である。この巻きつけた頭髪の上部からドライヤー等で送風することで頭髪を乾かす。又下部の送風孔（ｄ１）からドライヤー等で送風することで頭髪を乾かしセットする。【０００８】  図４に示される実施例では、本考案のカール状セット器具をドライヤーに取り付けた図で、本発明のカール状セット器具の下部よりドライヤーの送風口を差し込んだ図である。【０００９】図５に示される実施例では、通常時のパーマネントウエーブ後の頭髪をドライヤーの送風のみで頭髪を乾かした時の図である。これにより図５では、ウエーブの弾力性がなく、毛先のおさまりもまちまちである。【００１０】図６に示される実施例では、パーマネントウエーブ後の頭髪を図３に示したように本発明のカール状セット器具を使い、図４に示したように、頭髪を乾かしたときの図である。これにより、図５の頭髪に比較して、図６の頭髪は、ウエーブに、弾力性があり、毛先においても一定方向でおさまっている。
【考案の効果】
【００１１】本考案は、以上説明したように構成されているので、以下に記載されるような効果を奏す。
【００１２】本考案のカール状セット器具をしようして、頭髪を乾かす。もしくは、セットすると、容易にパーマネントウエーブ後の頭髪を図６のような、らせん状および巻き髪風に仕上げセットでき、ストレートヘアーをゆるやかなウエーブ及びセットができる。
【００１３】そして、本考案のカール状セット器具使用することにより、ホットカーラーやヘアーアイロンを用いたときに起こる高温での頭髪への負担を減らすことができる。
【００１４】本考案のカール状セット器具を使用することにより、ヘアーアイロンやドライヤーの直接の熱による手指や頭皮のやけどを防ぐことができる。
【００１５】さらに、頭髪を乾かすと同時にヘアセットが行える。
【図面の簡単な説明】
【００１６】
【図１】本考案のカール状セット器具の上面図である。
【図２】本考案のカール状セット器具の断面図である。
【図３】本考案のカール状セット器具に頭髪を巻きつけた図である
【図４】本考案のカール状セット器具をドライヤーに装着した図である。
【図２】本考案のカール状セット器具を使用せずに頭髪を乾かした図である。
【図３】本考案のカール状セット器具を使用して頭髪を乾かした図である。
【符号の説明】
【００１７】  ａ    外側の円筒体
ｂ    内側の円筒体
ｃ    逆円錐状の筒体
ｄ    本体の中にあるａとｂとｃの接着部
ｂ１  送風孔
ｃ１  送風孔
ｄ１  送風孔
【図１】
0003116385.tif 000003
【図２】
0003116385.tif 000004
【図３】
0003116385.tif 000005
【図４】
0003116385.tif 000006
【図５】
0003116385.tif 000007
【図６】
0003116385.tif 000008
【手続補正書】
【提出日】平成17年8月17日(2005.8.17)
【手続補正１】
【補正対象書類名】明細書
【補正対象項目名】全文
【補正方法】変更
【補正の内容】
【考案の詳細な説明】
【技術分野】
【０００１】本考案は、発明したカール状セット器具を使う事により容易に。パーマネントウエーブ後の頭髪をらせん状および巻き髪風に仕上げセットでき、ストレートヘアーをゆるやかなウエーブ及びセットできる器具の製造方法に関する。
【背景技術】
【０００２】従来のパーマネントウエーブ後のセットは、ドライヤーの風を頭髪にじかに吹きつけるので、ドライヤーの送風で、パーマネントウエーブ本来の形が崩れやすい。そして人間の手により作るウエーブは、形がまちまちになりやすく、手がドライヤーの熱で熱くなる。従来のらせん状や巻き髪に仕上げるには、ヘアーアイロンやホットカーラーを使用するが、個人では、扱いにくく、また頭髪への極端なダメージ、皮膚をやけどなど、さまざまな問題点がある。
【考案が解決しようとうする課題】
【０００３】従来のドライヤーでのセットでは、ドライヤーの熱での手荒れ。個人個人の手の使い方やウエーブの出し方でいくらセットしても個人で巻き髪のような頭髪のカールの弾力や、らせん状、均一なカールは、美容師以外の人には、セットしにくい、ヘアーアイロンの使用により皮膚のやけど、頭髪への過度の熱でのダメージ、ホットカーラー使用時の手間、手指の低温やけど。ストレートヘアーには、ゆるやかなウエーブは、なかなかセットしづらいなどの問題点があった。
【０００４】本発明は、パーマネントウエーブがかかっている頭髪をドライヤーで乾かすときに、このカール状セット器具を使って容易に巻き髪のような弾力性のあるウエーブをセットでき、ストレートヘアーには、ゆるやかなウエーブを頭髪に容易にセットする為にこのカール状セット器具を提供することを目的としている。
【問題を解決するための手段】
【０００５】上記目的を達成するために、本発明は円筒体の内側に逆円錐状の送風孔を有する円筒体を設け、その内側にさらに送風孔を有する円筒体を設け、単体でも使用可能で、外側の円筒体の一端をドライヤーの送風口に取り付けることも出来るカール状セット器具を使用する。
【考案を実施するための最良の形態】
【０００６】図１において、本発明のカール状セット器具を真上から見た図である。
図２において、本発明のカール状セット器具の正面から見た断面図である。
（ａ）は、円筒体であり直径は、５０ｍｍ。高さ８０ｍｍ。（ｂ）は、円筒体であり直径は、１６ｍｍ。高さ６０ｍｍで中は、空洞で送風孔（ｂ１）を有する。（ｃ）は、逆円錐状の円筒体であり（ａ）の上部から、中段にかけて下がり送風孔（ｃ１）を有する。【０００７】図３に示される実施例では、本体の（ｂ）に、頭皮のベース約５ｃｍ×５ｃｍの頭髪をとり、１から２回軽くねじり巻きつけた図である。【０００８】図４に示される実施例では、本発明のカール状セット器具をドライヤーに取り付けた図で、本発明のカール状セット器具の下部よりドライヤーの送風口を差し込んだ図である。【０００９】図５に示される実施例では、通常時のパーマネントウエーブ後の頭髪をドライヤーの送風のみで頭髪を乾かした時の図である。これにより図５では、ウエーブの弾力性がなく、毛先のおさまりもまちまちである。【００１０】図６に示される実施例では、パーマネントウエーブ後の頭髪を図３に示したように本発明のカール状セット器具を使い、図４に示したように、頭髪を乾かしたときの図である。これにより、図５の頭髪に比較して、図６の頭髪は、ウエーブに、弾力性があり、毛先においても一定方向でおさまっている。【００１１】本発明は、以上説明したように構成されているので、以下に記載されるような効果を奏す。【００１２】本発明のカール状セット器具をしようして、頭髪を乾かす。もしくは、セットすると、容易にパーマネントウエーブ後の頭髪を図６のような、らせん状および巻き髪風に仕上げセットでき、ストレートヘアーをゆるやかなウエーブ及びセットができる。【００１３】そして、本発明のカール状セット器具使用することにより、ホットカーラーやヘアーアイロンを用いたときに起こる高温での頭髪への負担を減らすことができる。【００１４】本発明のカール状セット器具を使用することにより、ヘアーアイロンやドライヤーの直接の熱による手指や頭皮のやけどを防ぐことができる。【００１５】さらに、頭髪を乾かすと同時にヘアセットが行える。
【図面の簡単な説明】
【００１６】
【図１】  本考案のカール状セット器具の上面図である。
【図２】  本考案のカール状セット器具の断面図である。
【図３】  本考案のカール状セット器具に頭髪を巻きつけた図である。
【図４】  本考案のカール状セット器具をドライヤーに装着した図である。
【図５】  本考案のカール状セット器具を使用せずに頭髪を乾かした図である。
【図６】  本考案のカール状セット器具を使用して頭髪を乾かした図ある。
【符号の説明】
【００１７】  ａ    外側の円筒体
ｂ    内側の円筒体
ｃ    逆円錐状の筒体
ｄ    本体の中にあるａとｂとｃの接着部
ｂ１  送風孔
ｃ１  送風孔
ｄ１  送風孔